【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
第一の伝送端末の識別情報を記憶する第一の伝送端末及び第二の伝送端末の識別情報を記憶する第二の伝送端末を備える伝送システムであって、
前記第一の伝送端末の識別情報に、前記第一の伝送端末と前記第一の伝送端末の識別情報に基づいて通信を確立することが可能な他の伝送端末が記憶する伝送端末の識別情報が少なくとも１以上関連付けられた前記第一の伝送端末の宛先情報を管理する宛先管理手段と、
ＰＣ端末又は前記第一の伝送端末から送信された追加要求であって、該追加要求するユーザによって指定された前記第二の伝送端末の識別情報を含む追加要求に基づいて、前記第二の伝送端末の識別情報に関連付けられた端末の表示画面に前記追加要求を承認するか否かをユーザに対して確認する旨を表示させる表示制御手段と、を有し、
前記第二の伝送端末の識別情報に関連付けられた端末に対してユーザが入力した応答結果が承認する旨を示す場合に、前記宛先管理手段において管理される前記第一の伝送端末の宛先情報に前記第二の伝送端末の識別情報を新たに追加して管理することで前記第一の伝送端末が前記第二の伝送端末の識別情報に基づいて前記第二の伝送端末と通信を確立することを可能とすることを特徴とする伝送システム。
【請求項２】
請求項１に記載の伝送システムであって、
前記ＰＣ端末から前記追加要求を受信する受信手段と、
前記受信した追加要求を承認するか否かを要求するための承認要求を前記第二の伝送端末の識別情報に関連付けられた端末に対して送信する送信手段と、
を有することを特徴とする伝送システム。
【請求項３】
請求項２に記載の伝送システムであって、
前記受信手段及び前記送信手段を備える伝送管理システムを有し、
前記受信手段は、前記ＰＣ端末が前記第一の伝送端末の識別情報を用いて前記伝送管理システムへログインした後に前記追加要求を受信することを特徴とする伝送システム。
【請求項４】
前記受信手段によって受信される追加要求は、前記第一の伝送端末の識別情報及び前記第二の伝送端末の識別情報を含むことを特徴とする請求項２又は３に記載の伝送システム。
【請求項５】
請求項２乃至４のいずれか一項に記載の伝送システムであって、
前記第一及び第二の伝送端末の稼動状態を示す稼動状態情報をそれぞれ管理する端末管理手段を有し、
前記端末管理手段において管理されている前記第二の伝送端末の稼動状態情報で示される稼動状態がオンラインであるが通信を開始していない場合、前記送信手段は、当該稼動状態がオンラインである第二の伝送端末に対して前記承認要求を送信すると共に、前記追加要求の要求元である第一の伝送端末が記憶する第一の識別情報を送信することを特徴とする伝送システム。
【請求項６】
請求項１乃至５のいずれか一項に記載の伝送システムであって、
前記表示制御手段は、前記追加要求を保留するかをユーザが選択可能な画面を表示させることを特徴とする伝送システム。
【請求項７】
前記表示制御手段は、前記追加要求の要求元である前記第一の伝送端末が記憶する第一の伝送端末の識別情報又は前記第一の伝送端末の名称を表示させることを特徴とする請求項６に記載の伝送システム。
【請求項８】
前記宛先管理手段において管理される前記第一の伝送端末の識別情報に関連付けられた少なくとも１以上の他の伝送端末の識別情報に基づいて、前記第一の伝送端末は少なくとも１以上の伝送端末との間で画像データ又は音声データを通信するためのセッションを確立することが可能なことを特徴とする請求項１乃至７に記載の伝送システム。
【請求項９】
請求項１乃至５のいずれか一項に記載の伝送システムであって、
前記第一の伝送端末から受信したログイン要求に基づいて前記第一の伝送端末を認証する認証手段を有し、
前記送信手段は、前記認証手段によって認証された第一の伝送端末へ、前記宛先管理手段において管理される前記第一の伝送端末の識別情報に関連付けられた前記第一の伝送端末の宛先情報を送信することを特徴とする伝送システム。
【請求項１０】
前記第一及び第二の伝送端末は、携帯電話機、又は自動車に搭載可能なカーナビゲーション装置であることを特徴とする請求項１乃至９に記載の伝送システム。
【請求項１１】
前記表示制御手段は、前記追加要求を却下するかをユーザが選択可能な画面を表示させることを特徴とする請求項６又は７に記載の伝送システム。
【請求項１２】
前記表示制御手段は、前記第二の伝送端末の識別情報に関連付けられた端末が有し、
前記ＰＣ端末は第一のＰＣ端末であって、
前記第二の伝送端末の識別情報に関連付けられた端末は、前記第二の伝送端末の識別情報を用いて前記伝送システムへログインした前記第一のＰＣ端末とは異なる第二のＰＣ端末であることを特徴とする請求項６、７又は１１に記載の伝送システム。
【請求項１３】
第一の伝送端末の識別情報を記憶する第一の伝送端末及び第二の伝送端末の識別情報を記憶する第二の伝送端末とネットワークを介して接続される伝送管理装置であって、
前記第一の伝送端末の識別情報に、前記第一の伝送端末と前記第一の伝送端末の識別情報に基づいて通信を確立することが可能な他の伝送端末が記憶する伝送端末の識別情報が少なくとも１以上関連付けられた前記第一の伝送端末の宛先情報を管理する宛先管理手段と、
ＰＣ端末又は前記第一の伝送端末から送信された追加要求であって、該追加要求を要求するユーザによって指定された前記第二の伝送端末の識別情報を含む追加要求を受信する受信手段と、
前記追加要求を承認するか否かを要求するための承認要求を第二の伝送端末の識別情報に関連付けられた端末が受信するように送信する送信手段と、を有し、
前記第二の伝送端末の識別情報に関連付けられた端末が有する表示画面に対してユーザが入力した前記承認要求に対する応答結果が承認する旨を示す場合に、前記宛先管理手段において管理される前記第一の伝送端末の宛先情報に前記第二の伝送端末の識別情報を新たに追加して管理することで前記第一の伝送端末が前記第二の伝送端末の識別情報に基づいて前記第二の伝送端末と通信を確立することを可能とすることを特徴とする伝送管理システム。
【請求項１４】
第一の伝送端末の識別情報を記憶する第一の伝送端末及び第二の伝送端末の識別情報を記憶する第二の伝送端末を備える伝送システムが実行する表示制御方法であって、
前記第一の伝送端末の識別情報に、前記第一の伝送端末と前記第一の伝送端末の識別情報に基づいて通信を確立することが可能な他の伝送端末が記憶する伝送端末の識別情報が少なくとも１以上関連付けられた前記第一の伝送端末の宛先情報を管理し、
ＰＣ端末又は前記第一の伝送端末から送信された追加要求であって、該追加要求を要求するユーザによって指定された前記第二の伝送端末の識別情報を含む追加要求に基づいて、前記第二の伝送端末の識別情報に関連付けられた端末の表示画面に前記追加要求を承認するか否かをユーザに対して確認する旨を表示させ、
前記第二の伝送端末の識別情報に関連付けられた端末に対してユーザが入力した応答結果が承認する旨を示す場合に、前記宛先管理手段において管理される前記第一の伝送端末の宛先情報に前記第二の伝送端末の識別情報を新たに追加して管理することで前記第一の伝送端末が前記第二の伝送端末の識別情報に基づいて前記第二の伝送端末と通信を確立することを可能とすることを特徴とする表示制御方法。
【請求項１５】
第一の伝送端末の識別情報を記憶する第一の伝送端末及び第二の伝送端末の識別情報を記憶する第二の伝送端末とネットワークを介して接続される伝送管理装置が実行する宛先管理方法であって、
前記第一の伝送端末の識別情報に、前記第一の伝送端末と前記第一の伝送端末の識別情報に基づいて通信を確立することが可能な他の伝送端末が記憶する伝送端末の識別情報が少なくとも１以上関連付けられた前記第一の伝送端末の宛先情報を管理し、
ＰＣ端末又は前記第一の伝送端末から送信された追加要求であって、該追加要求するユーザによって指定された前記第二の伝送端末の識別情報を含む追加要求を受信し、
前記追加要求を承認するか否かを要求するための承認要求を第二の伝送端末の識別情報に関連付けられた端末が受信するように送信し、
前記第二の伝送端末の識別情報に関連付けられた端末が有する表示画面に対してユーザが入力した前記承認要求に対する応答結果が承認する旨を示す場合に、前記宛先管理手段において管理される前記第一の伝送端末の宛先情報に前記第二の伝送端末の識別情報を新たに追加して管理することで前記第一の伝送端末が前記第二の伝送端末の識別情報に基づいて前記第二の伝送端末と通信を確立することを可能とすることを特徴とする宛先管理方法。
【請求項１６】
コンピュータに、請求項１５に記載の方法を実施させることを特徴とするプログラム。
【手続補正２】
【補正対象書類名】明細書
【補正対象項目名】発明の名称
【補正方法】変更
【補正の内容】
【発明の名称】伝送システム、伝送管理システム、表示制御方法、宛先管理方法、及びプログラム
【手続補正３】
【補正対象書類名】明細書
【補正対象項目名】０００５
【補正方法】変更
【補正の内容】
【０００５】
請求項１に係る発明は、第一の伝送端末の識別情報を記憶する第一の伝送端末及び第二の伝送端末の識別情報を記憶する第二の伝送端末を備える伝送システムであって、前記第一の伝送端末の識別情報に、前記第一の伝送端末と前記第一の伝送端末の識別情報に基づいて通信を確立することが可能な他の伝送端末が記憶する伝送端末の識別情報が少なくとも１以上関連付けられた前記第一の伝送端末の宛先情報を管理する宛先管理手段と、ＰＣ端末又は前記第一の伝送端末から送信された追加要求であって、該追加要求を要求するユーザによって指定された前記第二の伝送端末の識別情報を含む追加要求に基づいて、前記第二の伝送端末の識別情報に関連付けられた端末の表示画面に前記追加要求を承認するか否かをユーザに対して確認する旨を表示させる表示制御手段と、を有し、前記第二の伝送端末の識別情報に関連付けられた端末に対してユーザが入力した応答結果が承認する旨を示す場合に、前記宛先管理手段において管理される前記第一の伝送端末の宛先情報に前記第二の伝送端末の識別情報を新たに追加して管理することで前記第一の伝送端末が前記第二の伝送端末の識別情報に基づいて前記第二の伝送端末と通信を確立することを可能とすることを特徴とする伝送システムである。
【手続補正４】
【補正対象書類名】明細書
【補正対象項目名】０００６
【補正方法】変更
【補正の内容】
【０００６】
以上説明したように本発明によれば、第二の伝送端末のユーザとしては、自己の第二の伝送端末が勝手に第一の伝送端末と通信可能な端末として管理されることを防止することができるという効果を奏する。
【手続補正５】
【補正対象書類名】明細書
【補正対象項目名】０１５０
【補正方法】変更
【補正の内容】
【０１５０】
１０  伝送端末
１１  送受信部
１６  表示制御部（表示制御手段の一例）
１７  抽出部
１８  宛先リスト作成部
１９  記憶・読出処理部
５０  伝送管理システム
５１  送受信部（送信手段の一例、受信手段の一例）
５２  端末認証部
５３  端末管理部
５４  抽出部
５５  追加要求管理部
５６  端末状態確認部
５７  宛先リスト管理部
５９  記憶・読出処理部
８０  伝送端末管理システム
８１  送受信部
８２  端末認証部
８３  抽出部
８４  宛先リスト作成部
８５  追加承認要求画面作成部
１００１  不揮発性記憶部
１００２  揮発性記憶部
５０００  不揮発性記憶部
５００１  端末認証管理ＤＢ
５００２  端末管理ＤＢ（端末管理手段の一例）
５００３  宛先リスト管理ＤＢ（宛先管理手段の一例）
５００４  追加要求管理ＤＢ
８０００  記憶部